(57)【特許請求の範囲】
【請求項１】
パンタグラフの摺動面を電車線路の中心側である内側へ向け、電車線路の外側方の構築物に支持碍子を介して支持された剛体トロリ線と、この剛体トロリ線の下方に位置してこれに沿って延び、電車線路の内側へ向けられたフランジの側面を電車のガイド輪が転動できるように構築物に支持されたＨ形鋼材から成るガイドレールとを具備した剛体トロリ装置において、
前記剛体トロリ線の摺動面を除く外周面が、トロリ線カバーで電気的に絶縁被覆され、
前記支持碍子の前記剛体トロリ線を上下に把持する把持金具の外周が、碍子カバーで電気的に絶縁被覆され、
前記トロリ線カバーは、弾性合成樹脂製で、前記剛体トロリ線の上下面を被覆する対向一対の上下被覆片と、前記摺動面と反対側の外側面を被覆し、前記上下被覆片の基部間を連結する外側被覆片とを有し、前記一対の上下被覆片の先端間が、前記摺動面を露出させるために開放しており、前記剛体トロリ線の外方から前記上下被覆片の先端間を弾性的に開いて内方へ押し込むことにより剛体トロリ線へ嵌合させることができるように構成され、
前記碍子カバーは、弾性合成樹脂製で、前記把持金具の外形に対応する内側形状を有し、把持金具の外周へ嵌合可能な上下一対の半部から成り、両半部は、把持金具へ嵌合させて互いに突き合わせた状態で、係合するスナップ係合部を備えていることを特徴とする剛体トロリ装置。
【請求項２】
パンタグラフの摺動面を電車線路の中心側である内側へ向け、電車線路の外側方の構築物に支持碍子を介して支持された剛体トロリ線と、この剛体トロリ線の下方に位置してこれに沿って延び、電車線路の内側へ向けられたフランジの側面を電車のガイド輪が転動できるように構築物に支持されたＨ形鋼材から成るガイドレールとを具備した剛体トロリ装置において、
前記剛体トロリ線の摺動面を除く外周面が、トロリ線カバーで電気的に絶縁被覆され、
前記支持碍子の前記剛体トロリ線を上下に把持する把持金具の外周が、碍子カバーで電気的に絶縁被覆され、
前記ガイドレールの上面及び外側面がレールカバーで電気的に絶縁被覆され、前記トロリ線カバーは、弾性合成樹脂製で、前記剛体トロリ線の上下面を被覆する対向一対の上下被覆片と、前記摺動面と反対側の外側面を被覆し、前記上下被覆片の基部間を連結する外側被覆片とを有し、前記一対の上下被覆片の先端間が、前記摺動面を露出させるために開放しており、前記剛体トロリ線の外方から前記上下被覆片の先端間を弾性的に開いて内方へ押し込むことにより剛体トロリ線へ嵌合させることができるように構成され、
前記碍子カバーは、弾性合成樹脂製で、前記把持金具の外形に対応する内側形状を有し、把持金具の外周へ嵌合可能な上下一対の半部から成り、両半部は、把持金具へ嵌合させて互いに突き合わせた状態で、係合するスナップ係合部を備えており、
前記レールカバーは、弾性合成樹脂製で、前記ガイドレールの内側フランジの上面−外側面−ウェブの上面−外側フランジの内側面−上面、に連続して沿う形状を有する上面カバーと、前記ガイドレールの外側フランジの内側面の上部−上面−外側面−下面−内側面下部、に連続して沿う形状を有する外面カバーとを具備し、上面カバーと外面カバーが、ガイドレールの外周へ嵌合可能に構成されていることを特徴とする剛体トロリ装置。
【請求項３】
前記剛体トロリ線が、所要箇所で接続金具により軸線方向に接続されており、
前記接続金具が、弾性合成樹脂製の接続部カバーにより電気的に絶縁被覆されていることを特徴とする請求項１又は２に記載の剛体トロリ装置。
【請求項４】
前記碍子カバーの一方のスナップ係合部が、他方のスナップ係合部を挿通させて抜け止めする挿通部を備え、他方のスナップ係合部は、挿通部から突出した位置で挿通部の端面に係合する係合爪を備えていることを特徴とする請求項１又は２に記載の剛体トロリ装置。
【請求項５】
前記レールカバーにおける外側カバーの下側端縁に指掛け片が設けられ、前記ガイドレールへの装着時にガイドレールの下方から手を入れて指掛け片に指を掛け、前方へ引き出すように装着可能に構成されていることを特徴とする請求項２に記載の剛体トロリ装置。
【請求項６】
前記レールカバーにおける外側カバーが、山形に屈折した弾性屈曲部を備え、前記ガイドレールへの装着時にこの弾性屈曲部を伸ばして装着し、復元力をガイドレールへの結合力とするように構成されていることを特徴とする請求項２に記載の剛体トロリ装置。
【発明の詳細な説明】
【０００１】
【発明の属する技術分野】
この発明は、いわゆる新都市交通等の側方集電型の電車線路において、電車線路の側方に設けられる給電用の剛体トロリ線とその支持部材、電車の側方ガイド車輪が転動するガイドレールを含む剛体トロリ装置に関し、特に空き缶などの導体が部材間に引っかかって、短絡事故を生じないように電気絶縁に配慮した剛体トロリ装置に係るものである。
【０００２】
【従来の技術】
従来の剛体トロリ装置の一例を図１２、図１３に示す。これは、三相交流電力を駆動電力とする側方集電型の電車線路であって、電車線路の側方に上下に間隔をおいて３本の剛体トロリ線１が配線され、その下方に電車の側方ガイド車輪が転動するガイドレール２が敷設されている。剛体トロリ線１は、パンタグラフが摺動する摺動面１ａを電車線路の中心側である内側（図１２の矢印ａ方向）へ向け、電車線路の外側（図１２の矢印ｂ方向）方の構築物３に支持碍子４を介して支持されている。剛体トロリ線１は、支持碍子４の上下一対の把持金具４ａ，４ｂによって把持される。ガイドレール２は、内側フランジ２ａ、外側フランジ２ｂ、ウェブ２ｃを有するＨ形鋼材から成り、剛体トロリ線１の下方に位置してこれに沿って延びるように構築物３に支持されている。ガイドレール２の電車線路の内側フランジ２ａの内側面２ｄを電車のガイド輪が転動する。
【０００３】
【発明が解決しようとする課題】
上記のような従来の剛体トロリ装置においては、特にその上方を人が通行する場所や強風区間等において、空き缶等の落下物、飛来物が電気導通部材間に挟まって、短絡事故を引き起こしやすいという問題点がある。
従って、この発明は、電気導通部材を絶縁カバーで被覆することによって、落下物、飛来物等による短絡事故を未然に防ぐことができる剛体トロリ装置を提供することを課題としている。
【０００４】
【課題を解決するための手段】
本発明においては、課題を解決するため、剛体トロリ線１をトロリ線カバー１１で電気的に絶縁被覆し、支持碍子４のトロリ線把持金具４ａ，４ｂを碍子カバー１２で電気的に絶縁被覆し、またガイドレール２の上面及び外側面をレールカバー１３で電気的に絶縁被覆して剛体トロリ装置を構成した。そして、トロリ線カバー１１は、弾性合成樹脂で構成し、剛体トロリ線１の上下面を被覆する対向一対の上下被覆片１１ａ，１１ｂと、外側面を被覆し、上下被覆片１１ａ，１１ｂの基部間を連結する外側被覆片１１ｃとを具備させ、摺動面１ａを露出させるために上下被覆片１１ａ，１１ｂの先端間を開放し、剛体トロリ線１の外方から上下被覆片１１ａ，１１ｂの先端開放部を弾性的に開いて内方へ押し込むことにより、剛体トロリ線１へ嵌合できるように構成する。碍子カバー１２は、弾性合成樹脂で構成し、支持碍子４の把持金具４ａ，４ｂの外形に対応する内側形状を持たせ、把持金具４の外周へ嵌合可能な上下一対の半部１２ａ，１２ｂから構成し、両半部には、把持金具４ａ，４ｂへ嵌合させて互いに突き合わせた状態で、係合するスナップ係合部１２ｅ，１２ｆを具備させる。レールカバー１３は、弾性合成樹脂で構成し、ガイドレール２の内側フランジ２ａの上面−同外側面−ウェブ２ｃの上面−外側フランジ２ｂの内側面−同上面、に連続して沿う形状を有する上面カバー１３ａと、ガイドレール２の外側フランジ２ｂの内側面の上部−同上面−同外側面−同下面−同内側面下部、に連続して沿う形状を有する外側カバー１３ｂとを具備させ、上面カバー１３ａと外側カバー１３ｂをガイドレール２の外周へ嵌合可能に構成した。
【０００５】
【発明の実施の形態】
図１乃至図１１を参照して本発明の実施の形態を説明する。
図示の実施形態において、剛体トロリ線１、ガイドレール２、構築物３、支持碍子４それ自体の構造及び配置は先に図１２，図１３について説明した従来のものと異ならないから、同一の符号を付して具体的説明を省略する。
【０００６】
この実施形態において従来と異なる点は、剛体トロリ線１の摺動面１ａを除く外周面が、トロリ線カバー１１で電気的に絶縁被覆され、支持碍子の剛体トロリ線１を上下に把持する把持金具４ａ，４ｂが、碍子カバー１２で電気的に絶縁被覆され、さらにガイドレール２の上面及び外側面がレールカバー１３で電気的に絶縁被覆されている点である。
【０００７】
図１，図２に示すように、トロリ線カバー１１は、耐候性塩化ビニル等の弾性合成樹脂製で、剛体トロリ線１の上下面を被覆する対向一対の上下被覆片１１ａ，１１ｂと、摺動面と反対側の外側面を被覆し、上下被覆片１１ａ，１１ｂの基部間を連結する外側被覆片１１ｃとを有する。上下被覆片１１ａ，１１ｂの先端間は、摺動面を露出させるために開放しており、剛体トロリ線の外方から上下被覆片１１ａ，１１ｂの先端間を弾性的に開いて剛体トロリ線１を受け入れ、内方へ押し込むことにより剛体トロリ線１へ嵌合させることができるように構成される。
【０００８】
図４、図５に示すように、剛体トロリ線１の軸線方向の接続箇所では、突き合わされた２つの剛体トロリ線１の端部を上下から継ぎ目板５で挟み、ボルト・ナット６で締め付ける。この接続箇所には、継ぎ目板５の上、下、外側面、剛体トロリ線１の外側面及び下側のボルト頭部を覆う断面ほぼコ字状の継ぎ目カバー１４が嵌合される。継ぎ目カバー１４は、耐候性塩化ビニル等の弾性合成樹脂製で、上下被覆片１４ａ，１４ｂの先端間を弾性的に開いて、剛体トロリ線１の接続部を受け入れ、内方へ押し込むことにより剛体トロリ線１の接続部へ嵌合させることができる。継ぎ目板５の上面を被覆する上被覆片１４ａには、それの先端縁側に、ボルト・ナット６を受け入れる凹所１４ｃが形成されている。凹所１４ｃから上方へ突出するボルト・ナット６には、絶縁キャップ１５が被せられる。
【０００９】
図６乃至図１０に示すように、碍子カバー１２は、難燃性ポリエチレン等の弾性合成樹脂製で、夫々把持金具４ａ又は４ｂの外形に対応する内側形状を有し、把持金具４ａ又は４ｂの外側へ嵌合可能な上下一対の半部１２ａ，１２ｂから成る。両半部１２ａ，１２ｂは、把持金具４ａ，４ｂの円柱状部に対応する半円筒部１２ｃ，１２ｄを夫々備えると共に、それの両縁に、把持金具４ａ，４ｂへ嵌合させて互いに突き合わせた状態で、係合するスナップ係合部１２ｅ，１２ｆを備えている。係合部１２ｆは、舌片の先端縁に係合爪を備えると共に、案内バンド１２ｇを備えたものである。係合部１２ｅは、係合部１２ｆを挿通させて係合爪との間で抜け止め作用を行う挿通部を備える。締め付けバンド１２ｇは、把持金具４ａ，４ｂへの嵌合時に、これを係合部１２ｅへ挿通して引き締めることで、２つの半部１２ａ，１２ｂを引き寄せ、係合部１２ｅ，１２ｆの係合操作を容易に行えるようにしたものであり、装着完了後に切除されるものである。
【００１０】
図１１に示すように、レールカバー１３は、耐候性塩化ビニル等の弾性合成樹脂製で、上面カバー１３ａと外面カバー１３ｂとを具備する。上面カバー１３ａは、ガイドレール２の内側フランジ２ａの上面−同外側面−ウェブ２ｃの上面−外側フランジ２ｂの内側面−同上面−同外側面の上縁、に連続して沿う形状を有する。上面カバー１３ａは、ガイドレール２のフランジ２ａの上面において、両面接着テープ等により接着して固定するのが望ましい。外面カバー１３ｂは、一端側からガイドレール２の外側フランジ２ｂの内側面の上縁−同上面−同外側面−同下面−同内側面の下縁、に連続して沿う形状を有し、他端縁には、湾曲して下方へ延出する指掛け片１３ｃを有する。屈曲部１３ｄは、外面カバー１３ｂにばね力を付与し、ガイドレール２との係合力を得るためのものである。
なお、ガイドレール２の外周を絶縁被覆する手段として、レールカバー１３の装着に代え、絶縁塗料を塗布する方法を採用することもできる。
【００１１】
【発明の効果】
以上のように、本発明においては、剛体トロリ線１をトロリ線カバー１１で電気的に絶縁被覆し、支持碍子４のトロリ線把持金具４ａ，４ｂを碍子カバー１２で電気的に絶縁被覆し、またガイドレール２の上面及び外側面をレールカバー１３で電気的に絶縁被覆して剛体トロリ装置を構成したため、落下物、飛来物等による短絡事故を未然に防ぐことができる剛体トロリ装置を提供することができる。トロリ線カバー１１、碍子カバー１２、レールカバー１３は、何れも構造が簡易で装着容易であると共に、安価に得られるという効果を有する。
【図面の簡単な説明】
【図１】剛体トロリ装置の側面図である。
【図２】トロリ線カバーの断面図である。
【図３】トロリ線カバー平面図である
【図４】トロリ線の継ぎ目カバーの平面図である。
【図５】トロリ線の継ぎ目カバーの側面図である。
【図６】碍子カバーの装着状態の断面図である。
【図７】碍子カバーの装着状態の正面図である。
【図８】碍子カバーの斜視図である。
【図９】（ａ）は碍子カバーの上半部の側面図、（ｂ）は碍子カバーの上半部の正面図である。
【図１０】（ａ）は碍子カバーの下半部の側面図、（ｂ）は碍子カバーの下半部の正面図である。
【図１１】レールカバーの側面図である。
【図１２】従来の剛体トロリ装置の側面図である。
【図１３】従来の剛体トロリ装置の正面図である。
【符号の説明】
１      剛体トロリ線
２      ガイドレール
２ａ    内側フランジ
２ｂ    外側フランジ
２ｃ    ウェブ
２ｄ    内側面（走行面）
３      構築物
４      支持碍子
４ａ    把持金具
４ｂ    把持金具
１１    トロリ線カバー
１１ａ  上被覆片
１１ｂ  下被覆片
１１ｃ  外側被覆片
１２    碍子カバー
１２ａ  上半部
１２ｂ  下半部
１２ｅ  係合部
１２ｆ  係合部
１３    レールカバー
１３ａ  上面カバー
１３ｂ  外面カバー
１３ｃ  指掛け部
１３ｄ  屈曲部
【図１】
0004285717.tif 000002
【図２】
0004285717.tif 000003
【図３】
0004285717.tif 000004
【図４】
0004285717.tif 000005
【図５】
0004285717.tif 000006
【図６】
0004285717.tif 000007
【図７】
0004285717.tif 000008
【図８】
0004285717.tif 000009
【図９】
0004285717.tif 000010
【図１０】
0004285717.tif 000011
【図１１】
0004285717.tif 000012
【図１２】
0004285717.tif 000013
【図１３】
0004285717.tif 000014